【手続補正書】
【提出日】平成18年8月4日(2006.8.4)
【手続補正１】
【補正対象書類名】明細書
【補正対象項目名】特許請求の範囲
【補正方法】変更
【補正の内容】
【特許請求の範囲】
【請求項１】
パケットネットワークで使用される方法であって、
呼を確立するための少なくとも第1のメッセージが発呼者と被呼者との間で2つ以上のパケットネットワークエンティティを介してルーティングされ、
前記呼を確立するための少なくとも１つの後続メッセージが前記発呼者と前記被呼者との間で前記2つ以上のパケットネットワークエンティティのうち少なくとも１つであるが全てではないパケットネットワークエンティティを介してルーティングされる、
方法。
【請求項２】
請求項１に記載の方法において、
前記第1のメッセージ及び前記後続メッセージは、前記発呼者のカスタマテレフォニデバイスと前記被呼者のカスタマテレフォニデバイスとの間でルーティングされる、方法。
【請求項３】
請求項１に記載の方法において、
前記2つ以上のパケットネットワークエンティティのうち少なくとも1つは、前記呼が、前記第1のメッセージにおいて特定された特定のサービスの品質を有して確立されることが承認されるか否かを決定し、承認されれば、前記呼が前記サービスの品質を有して確立されることを許可するゲートコントローラであり、
前記少なくとも１つの後続メッセージは、前記ゲートコントローラを介してルーティングされない、方法。
【請求項４】
請求項１に記載の方法において、
前記2つ以上のパケットネットワークエンティティのうち少なくとも1つは、前記呼に対して許可される最大帯域幅を決定し、該最大帯域幅を、前記呼がルーティングされるパケットネットワークのエンティティに通信する、ゲートコントローラであり、
前記少なくとも１つの後続メッセージは、前記ゲートコントローラを介してルーティングされない、方法。
【請求項５】
請求項４に記載の方法において、
前記呼がルーティングされるパケットネットワークのエンティティはネットワークエッジデバイスである、方法。
【請求項６】
請求項５に記載の方法において、
前記ネットワークエッジデバイスは、（ａ）ルータと（ｂ）ブリッジとのいずれかである、方法。
【請求項７】
請求項1に記載の方法において、
前記２つ以上のパケットネットワークエンティティのうち少なくとも1つは、前記呼に対する課金記録に現れる請求情報を、前記呼がルーティングされるパケットネットワークのエンティティに通信するゲートコントローラであり、
前記少なくとも１つの後続メッセージは、前記ゲートコントローラを介してルーティングされない、方法。
【請求項８】
請求項７に記載の方法において、
前記呼がルーティングされるパケットネットワークのエンティティはネットワークエッジデバイスである、方法。
【請求項９】
請求項８に記載の方法において、
前記ネットワークエッジデバイスは、（ａ）ルータと（ｂ）ブリッジとのいずれかである、方法。
【請求項１０】
請求項２に記載の方法において、
前記２つ以上のパケットネットワークエンティティのうち少なくとも1つは、前記発呼者と被呼者とのうち、前記第１のメッセージを発信した個別の者が、前記第１のメッセージにおいて要求された特定のサービス特性を供給されることを承認されるのか否かを決定し、承認される場合には、前記呼が前記特定のサービス特性を有して確立されることを許可するゲートコントローラであり、
前記少なくとも１つの後続メッセージは、前記ゲートコントローラを介してルーティングされない、方法。
【請求項１１】
請求項1に記載の方法において、
前記２つ以上のパケットネットワークエンティティのうち少なくとも1つは、サービス特定許可制御ポリシーを少なくとも１つ実施するゲートコントローラであり、
前記少なくとも１つの後続メッセージは、前記ゲートコントローラを介してルーティングされない、方法。
【請求項１２】
請求項１１に記載の方法において、
前記少なくとも１つの許可制御ポリシーは、（ａ）呼の優先と（ｂ）オーバーロード制御の少なくともいずれかを実施する、方法。
【請求項１３】
請求項２に記載の方法において、
前記第１のメッセージは前記呼のためのセットアップメッセージであり、
前記後続メッセージは、発呼者のカスタマテレフォニデバイスと被呼者のカスタマテレフォニデバイスとのあいだのエンドトゥエンドメッセージである、方法。
【請求項１４】
請求項１３に記載の方法において、
前記エンドトゥエンドメッセージは、リングメッセージ、リングバックメッセージ、接続メッセージのいずれかである、方法。
【請求項１５】
請求項１に記載の方法において、
前記確立には、前記第１のメッセージのルーティングが実行されるセットアップフェーズと、前記後続メッセージのルーティングが実行される接続フェーズとを含む、方法。
【請求項１６】
パケットネットワークにおいてゲートコントローラにより使用される方法であって、
発呼者から発信され、前記発呼者から前記ネットワークの発信側エッジデバイスを介して前記ゲートコントローラに送信されたセットアップメッセージの受信に応答して、呼のためのセットアップメッセージを、前記ネットワークの着信側エッジデバイスを介して被呼者に対して転送させ、
前記被呼者から発信され、前記被呼者から前記着信側エッジデバイスを介して送信されたセットアップ受領確認メッセージの受信に応答して前記ゲートコントローラに対して送らされたセットアップ受領メッセージを受信し、
前記受信に応答し、前記呼に対する状態情報を、前記発信側ネットワークエッジデバイスに送信し、
前記発呼者と前記被呼者とのあいだのエンドトゥエンドシグナリングメッセージが、ゲートコントローラを介さずに、前記発信側及び着信側ネットワークデバイスを介してルーティングされることを可能にする、方法。
【請求項１７】
請求項１６に記載の方法において、
前記エンドトゥエンドシグナリングメッセージは、リングメッセージ、リングバックメッセージ、接続メッセージの少なくともいずれかである、方法。
【請求項１８】
請求項１６に記載の方法において、
前記パケットネットワークが、前記呼に対して望ましい帯域幅の特定量を特定する予約メッセージを、前記発呼者と被呼者との少なくともいずれかから受信した場合にのみ、前記ルーティングが実行される、方法。
【請求項１９】
請求項１６に記載の方法において、
前記エンドトゥエンドシグナリングメッセージは、前記ルーティングを行う前記ネットワーク中の任意のエンティティに対して不明瞭である、方法。
【請求項２０】
請求項１６に記載の方法において、
前記ゲートコントローラは、前記呼が、発呼者から発信された前記セットアップメッセージにおいて要求されたサービスの品質を有して確立されることを承認されるか否かを決定し、承認されれば、前記呼が前記サービスの品質を有して確立されることを許可する、方法。
【請求項２１】
請求項１６に記載の方法において、
前記ゲートコントローラは、前記呼に対して許可された最大帯域幅を決定し、該最大帯域幅の表示を前記発信側エッジデバイスに通信する、方法。
【請求項２２】
請求項２１に記載の方法において、
前記発信側エッジデバイスは、（ａ）ルータと（ｂ）ブリッジのいずれかである、方法。
【請求項２３】
請求項１６に記載の方法において、
前記ゲートコントローラは、前記呼に対する課金記録に現れる請求情報を前記発信側エッジデバイスに通信する、方法。
【請求項２４】
請求項１６に記載の方法において、
前記ゲートコントローラは、前記発呼者が、該発呼者から発信された前記セットアップメッセージにおいて要求された特定のサービス特性を備えることを承認されるか否かを決定し、承認されれば、前記呼が前記特定のサービス特性を備えて確立されることを許可する、方法。
【請求項２５】
請求項１６に記載の方法において、
前記ゲートコントローラは、少なくとも１つのサービス特定許可制御ポリシーを実施する、方法。
【請求項２６】
請求項２５に記載の方法において、
前記少なくとも１つの許可制御ポリシーは、（ａ）呼の優先と（ｂ）オーバーロード制御との少なくとも一方を実施する、方法。
【請求項２７】
通信ネットワークを介して発呼者と被呼者との間で呼のためのメッセージを交換する方法であって、
前記発呼者からゲートコントローラに、着信先アドレスを有するセットアップメッセージを送信し、
前記被呼者からセットアップ受領確認メッセージを受信し、
前記発呼者と前記被呼者とからなるグループの少なくとも１つの者が、前記呼に対して望ましい帯域幅の特定量を特定する予約メッセージを、対応するネットワークエッジデバイスに送信した場合に、前記発呼者と前記被呼者とのあいだの少なくとも１つのエンドトゥエンドメッセージの交換を可能にする、方法。
【請求項２８】
請求項２７に記載の方法において、前記少なくとも１つのエンドトゥエンドメッセージは、前記発呼者から前記被呼者に対し、前記ゲートコントローラを介さずに送信されるリングメッセージである、方法。
【請求項２９】
請求項２７に記載の方法において、前記少なくとも１つのエンドトゥエンドメッセージは、前記被呼者から前記発呼者に対し、前記ゲートコントローラを介さずに送信されるリングバックメッセージである、方法。
【請求項３０】
請求項２７に記載の方法において、前記少なくとも１つのエンドトゥエンドメッセージは、前記被呼者から前記発呼者に対し、前記ゲートコントローラを介さずに送信される接続メッセージであり、この接続メッセージは前記被呼者が前記呼の受け入れを示す場合に送信される、方法。
【請求項３１】
請求項２７に記載の方法において、前記通信ネットワークは、前記ゲートコントローラを含むバックボーンネットワークを含み、前記発呼者が通信に用いるアクセスネットワークを前記バックボーンネットワークと相互接続させるネットワークエッジデバイスをさらに含む、方法。
【請求項３２】
請求項２７に記載の方法において、前記通信ネットワークは、前記ゲートコントローラを含むバックボーンネットワークを含み、前記被呼者が通信に用いるアクセスネットワークを前記バックボーンネットワークと相互接続させるネットワークエッジデバイスをさらに含む、方法。